(57)【要約】【課題】ユーザが任意に設定できる画像部分と、それ以外の部分との識別を容易にさせることができる画像形成装置を提供する。【解決手段】所定媒体上に形成され、所定の処理により現出する潜像画像を生成する画像処理装置１が、ユーザからデータを受け入れ、潜像画像のシステムとなるシステムデータを取得し、受け入れられたデータと当該システムデータとに基づいて潜像画像を生成する。この際、受入手段によって受け入れられたデータと、システムデータとの少なくとも一方に、所定のデータ加工処理を行い、各データに基づく潜像画像をそれぞれ識別可能とする。【選択図】        図１
2005057352.tif 000002
【特許請求の範囲】
【請求項１】
所定媒体上に形成され、所定の処理により現出する潜像画像を生成する画像処理装置であって、
ユーザから第１データを受け入れる第１データ受入手段と、
所定の取得処理により第２データを取得する第２データ取得手段と、
前記第１データと第２データとに基づいて潜像画像を生成する生成手段と、
を含み、
前記生成手段が、前記第１データと、第２データとの少なくとも一方に、所定のデータ加工処理を行い、前記第１データと、第２データとに基づく潜像画像をそれぞれ識別可能とすることを特徴とする画像処理装置。
【請求項２】
請求項１に記載の画像処理装置において、
前記潜像画像は、背景用パターン画像上に、前記第１データおよび第２データを表すデータ用パターン画像を合成した画像であり、背景用パターン画像とデータ用パターン画像は互いに異なる画像であることを特徴とする画像処理装置。
【請求項３】
請求項１に記載の画像処理装置であって、
前記潜像画像は、背景用パターン画像上に、前記第１データおよび第２データを表すデータ用パターン画像を合成した画像であり、
前記所定のデータ加工処理は、
前記第１データを表すデータ用パターン画像と第２データをあらわすデータ用パターン画像とを異ならせる処理と、第１データ表すデータ用パターン画像に対する背景パターン画像と、第２データを表すデータ用のパターン画像に対する背景パターン画像とを異ならせる処理と、のいずれか一方の処理を行うことを特徴とする画像処理装置。
【請求項４】
所定媒体上に形成され、所定の処理により現出する潜像画像を生成する画像処理装置であって、
予め定められた条件に合致する第１データをユーザから受け入れる第１データ受入手段と、
所定の取得処理により第２データを取得する第２データ取得手段と、
前記第１データと第２データとに基づいて潜像画像を生成する生成手段と、
を含み、
前記生成手段は、前記第２データに対し、前記第１データに係る条件に合致しないよう、所定のデータ加工処理を行って、前記第１データと第２データとに基づく潜像画像を互いに識別可能とすることを特徴とする画像処理装置。
【請求項５】
請求項４に記載の画像処理装置であって、
前記予め定められた条件は、ユーザが設定可能なデータ用パターン画像および背景用パターン画像形成態様に関する条件であって、
前記生成手段によって行われる所定のデータ加工処理は、ユーザが設定可能でない形成態様となるよう、潜像画像を生成するための処理であることを特徴とする画像処理装置。
【請求項６】
請求項４に記載の画像処理装置であって、
前記予め定められた条件は、形成態様に係る条件であって、第１データに係る形成態様を変更不能とする条件であることを特徴とする画像処理装置。
【請求項７】
請求項４から６のいずれか一項に記載の画像処理装置であって、
前記第２データに対する形成態様をユーザから受け入れ、前記生成手段は、前記第２データに基づき、当該ユーザから受け入れた形成態様で潜像画像を生成する、ことを特徴とする画像処理装置。
【請求項８】
請求項４から７のいずれか一項に記載の画像処理装置であって、
ユーザから第２データの種別の指定を受け入れる手段をさらに含み、
前記第２データ取得手段は、当該指定された種別の第２データを取得し、
前記生成手段は、ユーザから第２データの種別の指定を受けたときに、前記所定のデータ加工処理を行うことを特徴とする画像処理装置。
【請求項９】
所定媒体上に形成され、所定の処理により現出する潜像画像を生成する画像処理方法であって、
ユーザから第１データを受け入れる工程と、
所定の取得処理により第２データを取得する工程と、
前記第１データと第２データとに基づいて潜像画像を生成する生成工程と、
を含み、
前記生成工程において、前記受け入れられた第１データと、取得した第２データとの少なくとも一方に、所定のデータ加工処理を行い、前記第１データと第２データとに基づく潜像画像をそれぞれ識別可能とすることを特徴とする画像処理方法。
【請求項１０】
所定媒体上に形成され、所定の処理により現出する潜像画像を生成する画像処理プログラムであって、コンピュータに、
ユーザから第１データを受け入れる手順と、
所定の取得処理により第２データを取得する手順と、
前記受け入れられた第１データと、取得した第２データとの少なくとも一方に、所定のデータ加工処理を行い、前記第１データと第２データとに基づく潜像画像をそれぞれ識別可能に生成する手順と、
を実行させることを特徴とするプログラム。
【発明の詳細な説明】
【０００１】
【発明の属する技術分野】
本発明は、コピー牽制パターンを生成するコンピュータ機器等の画像処理装置に関する。
【０００２】
【従来の技術】
近年、印刷された文書の不正なコピーや、当該文書に記述された内容の漏洩を抑制するための技術が開発されている。従来は予めコピー牽制パターンを印刷した用紙（コピー牽制用紙）を用いて印刷することが一般的であったが、最近では、こうしたコピー牽制用紙と同様の効果が得られる背景パターン（以下、コピー牽制パターン）を画像処理によって生成し、文書画像に合成してプリント出力する技術が開発されている（特許文献１）。ここでコピー牽制パターンは、均一濃度の背景中に、「複写禁止」等の文字列を潜像として埋め込んだパターンの画像であり、複写によって当該埋め込まれた文字列が顕在化するようになっているものである。具体的には、潜像文字領域と背景領域とは、互いに異なるパターンの繰り返しで構成され、また両方の領域の平均濃度が同じになるようにパターンが構成される。このため、潜像文字は、全体的には目立たなくなっている。潜像文字領域は、複写時に再現されやすい、比較的大きなドットパターンが比較的粗く配列されたパターンとなっており、背景領域は、複写時に再現されにくい、比較的小さなドットパターンが比較的密に配置されたパターンとなっている。こうしたコピー牽制パターンの画像を文書画像の背景全面に合成してプリント出力した場合、背景全面が均一色・均一濃度となって潜像文字は目立たない状態となる。
【０００３】
しかし、このプリント出力された画像を複写機等でコピーすると、潜像文字領域のドットパターンはコピー再現されるが、背景領域のドットパターンはコピー再現されにくいので、背景部分だけが白くなり、結果として、コピー出力される文書画像の背景に「複写禁止」等の文字が浮かび上がることになり、不正に複写する行為に対して心理的な抑止になると共に、オリジナルとコピー物とを区別することが可能となる。
【０００４】
また、このようなコピー牽制パターンを生成する際に、当該コピー牽制パターンに埋め込む潜像文字の一部をユーザが設定できるようにしたものがある。この場合、ユーザは、文字列の内容だけでなく、文字の印字態様（字体の種類、装飾（太字・斜字体・白抜き等の別））を指定することもできるようになっている。
【０００５】
【特許文献１】
特開２００１−１９７２９７号公報
【０００６】
【発明が解決しようとする課題】
しかしながら、上記従来のコピー牽制パターンの生成においては、ユーザにより設定された部分と、それ以外の部分とを区別していないため、例えば、悪意のあるユーザが他のユーザの氏名を設定したり、誤って日時情報を設定した等という場合に、当該部分が信頼に足るものであるのか否かが明らかでない。
【０００７】
本発明は上記実情に鑑みて為されたもので、ユーザが任意に設定できる画像部分と、それ以外の部分との識別を容易にさせることができる画像形成装置を提供することを目的とする。
【０００８】
【課題を解決するための手段】
上記従来例の問題点を解決するための本発明は、所定媒体上に形成され、所定の処理により現出する潜像画像を生成する画像処理装置であって、ユーザから第１データを受け入れる第１データ受入手段と、所定の取得処理により第２データを取得する第２データ取得手段と、前記第１データと第２データとに基づいて潜像画像を生成する生成手段と、を含み、前記生成手段が、前記第１データと、第２データとの少なくとも一方に、所定のデータ加工処理を行い、前記第１データと、第２データとに基づく潜像画像をそれぞれ識別可能とすることを特徴としている。
【０００９】
ここで、前記潜像画像は、背景用パターン画像上に、前記第１データおよび第２データを表すデータ用パターン画像を合成した画像であり、背景用パターン画像とデータ用パターン画像は互いに異なる画像であることとしてもよい。また前記潜像画像は、背景用パターン画像上に、前記第１データおよび第２データを表すデータ用パターン画像を合成した画像であり、前記所定のデータ加工処理は、前記第１データを表すデータ用パターン画像と第２データをあらわすデータ用パターン画像とを異ならせる処理と、第１データ表すデータ用パターン画像に対する背景パターン画像と、第２データを表すデータ用のパターン画像に対する背景パターン画像とを異ならせる処理と、のいずれか一方の処理を行うこととしてもよい。
【００１０】
また、上記従来例の問題点を解決するための本発明は、所定媒体上に形成され、所定の処理により現出する潜像画像を生成する画像処理装置であって、予め定められた条件に合致する第１データをユーザから受け入れる第１データ受入手段と、所定の取得処理により第２データを取得する第２データ取得手段と、前記第１データと第２データとに基づいて潜像画像を生成する生成手段と、を含み、前記生成手段は、前記第２データに対し、前記第１データに係る条件に合致しないよう、所定のデータ加工処理を行って、前記第１データと第２データとに基づく潜像画像を互いに識別可能とすることを特徴としている。
【００１１】
ここで前記予め定められた条件は、ユーザが設定可能なデータ用パターン画像および背景用パターン画像形成態様に関する条件であって、前記生成手段によって行われる所定のデータ加工処理は、ユーザが設定可能でない形成態様となるよう、潜像画像を生成するための処理であることとしてもよい。さらに前記予め定められた条件は、形成態様に係る条件であって、第１データに係る形成態様を変更不能とする条件であることとしてもよい。
【００１２】
さらに、前記第２データに対する形成態様をユーザから受け入れ、前記生成手段は、前記第２データに基づき、当該ユーザから受け入れた形成態様で潜像画像を生成する、こととしてもよい。また、ユーザから第２データの種別の指定を受け入れる手段をさらに含み、前記第２データ取得手段は、当該指定された種別の第２データを取得し、前記生成手段は、ユーザから第２データの種別の指定を受けたときに、前記所定のデータ加工処理を行うこととしてもよい。
【００１３】
さらに上記従来例の問題点を解決するための本発明は、所定媒体上に形成され、所定の処理により現出する潜像画像を生成する画像処理方法であって、ユーザから第１データを受け入れる工程と、所定の取得処理により第２データを取得する工程と、前記第１データと第２データとに基づいて潜像画像を生成する生成工程と、を含み、前記生成工程において、前記受け入れられた第１データと、取得した第２データとの少なくとも一方に、所定のデータ加工処理を行い、前記第１データと第２データとに基づく潜像画像をそれぞれ識別可能とすることを特徴としている。
【００１４】
さらに、上記従来例の問題点を解決するための本発明は、所定媒体上に形成され、所定の処理により現出する潜像画像を生成する画像処理プログラムであって、コンピュータに、ユーザから第１データを受け入れる手順と、所定の取得処理により第２データを取得する手順と、前記受け入れられた第１データと、取得した第２データとの少なくとも一方に、所定のデータ加工処理を行い、前記第１データと第２データとに基づく潜像画像をそれぞれ識別可能に生成する手順と、を実行させることを特徴としている。
【００１５】
【発明の実施の形態】
本発明の実施の形態について図面を参照しながら説明する。本発明の実施の形態に係る画像処理装置１は、図１に示すように、制御部１１と、記憶部１２と、操作部１３と、表示部１４と、入出力インタフェース１５とを含んで構成されている。また、この画像処理装置１は、プリンタ装置２に接続されている。
【００１６】
制御部１１は、記憶部１２に格納されているプログラムに従って画像処理を実行するものである。基本的に、この制御部１１は、記憶部１２に格納されているプログラムに従い、予め定められた所定の取得処理によって取得されるシステムデータ（本発明の第２データに相当する）に基づいて潜像画像のデータ（以下、区別のため、このシステムデータに基づいて生成された潜像画像のデータを、システム潜像画像データと呼ぶ）を生成する。ここでシステムデータは、例えば日時を表す文字列や、記憶部１２に固定して（すなわち一般のユーザによって変更不能なものとして）設定されている文字列や、認証を受けた特定ユーザ（管理者等）から受け入れられた所定の文字列や画像のデータであり、所定の取得処理においては、このように定められた文字列等を取得する処理としてもよい。なお、特定ユーザの認証は、パスワードやバイオメトリクスに係る情報等によって行うこととすればよい。
【００１７】
また、この制御部１１は、一般ユーザ（この一般ユーザについては認証の有無を問わない）から潜像画像の元となるデータ（本発明の第１データに相当する）を受け入れて、当該データに基づいて潜像画像のデータ（以下、区別のため、このデータに基づいて生成された潜像画像のデータを、ユーザ潜像画像データと呼ぶ）を生成し、システム潜像画像データとともに、印刷対象となるドキュメントの画像データに埋め込む処理を行う。そして制御部１１は、潜像画像データを埋め込んだドキュメントの画像データを、入出力インタフェース１５を介してプリンタ装置２に送出し、プリンタ装置２にて印刷を行わせる。
【００１８】
具体的に制御部１１が一般ユーザから潜像画像の元となるデータを受け入れる際は、表示部１４に対して例えば、図２に示すような画面を表示して、当該データの入力を促す。この図２に示す画面では、システム潜像画像データに関する設定（システム潜像画像データを生成するためのシステムデータとしてどのような種別のデータを用いるかの指定）を受け入れる欄（Ｐ）と、一般ユーザが任意なデータを入力する欄（Ｑ）とを含む。また、システムデータの種別を指定するためにユーザが「設定」ボタンをクリックすると、図３に示す画面が表示され、システムデータの種別として、ユーザ名や日付、コンピュータ名（ホスト名）、プリンタ名、ＩＰアドレス等が指定できるようになる。なお、ここで「任意の文字列」としてユーザ指定の文字列を設定させるようにしてもよい。この場合は、当該文字列を入力したユーザをパスワード等により認証してから設定をさせるようにする。
【００１９】
なお、図２のインタフェース等を通じて一般ユーザが入力するデータは、ここではテキストに限られるものとしており、その字体や色、濃度、複写時の浮き出しの効果等を設定も併せて入力可能となっている。ここで字体等の設定は、制御部１１によって作成可能な潜像画像データの種類の一部に係る設定に制限してもよい。例えば、制御部１１が潜像画像データを生成する際に利用可能な字体が１０書体あるときに、「明朝」と「ゴシック」の２書体のみ選択可能とする等である。このように、制御部１１は、予め定められた条件（この場合は字体等、形成態様に関する条件としたが、これに限られない）に合致するデータのみを受け入れられるようにしておくこととしてもよい。
【００２０】
さらに、本実施の形態において特徴的なことの一つは、この制御部１１が、システム潜像画像データとユーザ潜像画像データとを、それぞれ識別可能なように、いずれかの潜像画像データを加工処理して生成していることである。これら制御部１１の処理については、後に詳しく述べる。
【００２１】
記憶部１２は、制御部１１によって実行されるプログラムや当該プログラムによって利用されるデータ等を格納する、コンピュータ可読記録媒体と、その記録媒体からプログラム等を読み出して制御部１１に出力するドライブ装置とを含む。また、この記憶部１２は、制御部１１の動作の過程で生成されるデータを保持するワークメモリとしても動作する。
【００２２】
操作部１３は、マウスやキーボード等であり、ユーザから入力される指示操作の内容を制御部１１に出力する。表示部１４は、ディスプレイ等であり、制御部１１から入力される指示に従って、ユーザに情報を提示する。入出力インタフェース１５は、例えばＵＳＢ等のシリアルインタフェースや、ネットワークインタフェース等であり、制御部１１から入力される指示に従って、外部の装置との通信を行い、また、外部の装置から到来するデータ等を受信して制御部１１に出力する。
【００２３】
ここで、制御部１１によって行われる処理について説明する。制御部１１によって実行される潜像画像の埋め込みの処理に係るプログラムは、機能的には図４に示すように、処理対象となったデータが一般ユーザから入力されたデータとシステムデータとを判別する判別部２１と、後に説明する加工指示部２６からの指示に従い、入力されたデータを変換する変換部２２と、変換部２２が出力するデータに基づいて、埋め込みの対象となる画像データを作成する領域作成部２３と、埋め込まれるデータの形成領域に対応するパターンと、背景パターンとを生成するパターン生成部２４と、領域作成部２３で作成された埋め込み対象の画像データに対して、パターン生成部２４で生成された各パターンを適用し、潜像画像データを生成する潜像画像データ生成部２５と、加工指示部２６とを含んで構成される。
【００２４】
加工指示部２６は、判別部２１による判別の結果に応じて、変換部２２と領域作成部２３と潜像画像データ生成部２６との少なくとも一つに対して、加工の指示を行い、（１）形成の態様、（２）潜像画像を生成する際に用いるパターン、（３）潜像画像を複写したときに現出する画像の態様、（４）付加的情報、の少なくとも一つを異ならせる。これにより、システム潜像画像データとユーザ潜像画像データとが識別可能になる。
【００２５】
以下、具体的に各処理について述べる。まず、（１）形成態様を異ならせる例としては、ユーザ潜像画像データとシステム潜像画像データとのいずれかに下線を付したり、各データの元となったテキストについてそれらの字体やフォントスタイル（太字（ボールド）、斜字（スラントやイタリック）、白抜き等）を互いに変更してもよい。さらに、この場合は、加工指示部２６は、領域作成部２３に対して、字体等を変更する指示を出力する。ここでは一例として、システム潜像画像データに対して、そのテキストに下線を引く装飾を行った例を図５（ａ）に示す。ここではシステムデータとして日付を取得するようユーザから指定された例を示したが、システムデータに日付を含まない場合に、一般ユーザが日付と、「ＣＯＰＹ」との文字列とを入力した場合の例を図５（ｂ）に示す。このように、下線の有無によって、どの部分がシステムデータに基づき、どの部分が一般ユーザが入力したものに基づくものであるかが識別できるようになる。なお、説明のため、図５においては、複写が行われ、潜像画像データが顕在化した状態を示している。
【００２６】
さらに制御部１１は、図２に示したユーザインタフェースで、予め定められた形成態様の条件に合致するデータのみを受け入れられるようにした場合は、加工指示部２６の処理において、判別部２１がシステム潜像画像データであると判別しているときには、上記形成態様の条件に合致しない形成態様に加工させる処理を行ってもよい。例えば、一般ユーザが指定可能な字体が「明朝」と「ゴシック」の２書体である場合に、加工指示部２６が、システムデータに係るテキストを「明朝」でも「ゴシック」でもない、例えば「ポップ（ＰＯＰ）体」の字体で表すよう、領域作成部２３に指示し、潜像画像データ生成部２５が、このポップ体で記述した画像データに基づきシステム潜像画像データを生成してもよい（図６）。図６は、システム潜像画像データの字体を、ユーザ指定不能な字体とする例を表す説明図である。なお、説明のため、図６においては、複写が行われ、潜像画像データが顕在化した状態を示している。
【００２７】
さらに、加工指示部２６は、判別部２１の判別結果に応じ、入力されるデータがシステムデータである場合と、一般ユーザが入力したデータである場合とで、それぞれ画像データの縦横比を異ならせるよう、領域作成部２３に指示してもよい。これにより生成される潜像画像データは、図７に例示するようなものとなる。なお、説明のため、図７においては、複写が行われ、潜像画像データが顕在化した状態を示している。
【００２８】
また、（２）潜像画像を生成する際に用いるパターンを異ならせる例では、パターン生成部２４がシステムデータに基づく画像データに対応する領域に適用されるべき第１パターンと、一般ユーザによって入力されるデータに基づく画像データに対応する領域に適用されるべき第２パターンと、背景部分に適用されるべき背景パターンとの少なくとも３種類のパターンを生成して出力する。そして、加工指示部２６が判別部２１の判別結果に応じて、システムデータに基づいて生成された画像データ部分については第１パターンを適用し、一般ユーザから入力されたデータに基づいて生成された画像データ部分については第２パターンを適用するよう、潜像画像データ生成部２５に指示を出力する。
【００２９】
この指示によって潜像画像データ生成部２５は、システムデータと一般ユーザから入力されたデータとのそれぞれに基づいて生成される画像データ部分に、それぞれ第１パターンと第２パターンとを適用し、背景部分については背景パターンを適用する。そして、図８（ａ）に示すような潜像画像データが生成され、これを複写すると図８（ｂ）に示すようになる。すなわち、システムデータと一般ユーザから入力されたデータとのそれぞれが互いに異なるパターンで形成されるため、これらを識別できるようになる。
【００３０】
（３）潜像画像を複写したときに現出する画像の態様を異ならせる例としては、システム潜像画像データについて、複写時に画像が白抜きで現れるようにし、ユーザ潜像画像データについては複写時に画像が浮かび上がるようにすることなどがある。この場合は、加工指示部２６は、システムデータと一般ユーザから入力されたデータとのそれぞれに基づいて生成される画像データ部分を形成するパターンと、それぞれの背景となるパターンとを調整して、上記のように異なる態様で現出するものとなるよう、潜像画像データ生成部２５に指示する。これにより、潜像画像データ生成部２５が生成する潜像画像データは、例えば図９（ａ）に示すようなものとなり、これを複写すれば、図９（ｂ）に示すように、システムデータに基づく部分と一般ユーザの入力したデータに基づく部分とが、異なる態様で現出するようになる。ここでの現出の態様は、図２に示したユーザインタフェースにおいて、システムデータの装飾方法として、複写後の文字の浮き出し状態が、システム潜像データとユーザ潜像データとで異なるように設定した例を示している。
【００３１】
さらに、システム潜像画像データとユーザ潜像画像データとの少なくとも一方に（４）付加的情報を設定して互いに識別可能にすることもできる。この場合は、例えば図２に示したユーザインタフェースにおいて、一般ユーザにより入力可能なデータの種別を、テキストのみに制限しておき、判別部２１により、入力されたデータがシステムデータであると判別したときに、加工指示部２６が、潜像画像生成部２５に対して、予め定められた画像データ（例えば三角形の内側に感嘆符を付したような画像データなど、テキストによって入力できない画像であればよい）を付して潜像画像データ（この場合はシステム潜像画像データ）を形成するよう指示する。
【００３２】
これにより、潜像画像生成部２５は、図１０に示すような潜像画像が生成され、システムデータに対応する部分に、付加的な情報が併せて記録されているため、システムデータに対応する部分と一般ユーザが入力したデータに対応する部分とが識別可能となる。なお、説明のため、この図１０においては、複写が行われ、潜像画像データが顕在化した状態を示している。
【００３３】
また、ここではシステムデータに対応する部分にのみ付加的な情報を付しているが、それぞれに異なる情報を付することとしてもよい。
【００３４】
制御部１１は、この処理により、システムデータと、一般ユーザから入力されるデータとを順次処理し、それぞれに対応する潜像画像データ（システム潜像画像データとユーザ潜像画像データ）を生成する。そして、当該生成された各潜像画像データを合成して、これをドキュメントに埋め込むべき潜像画像データとしてプリンタ２に対して送出することになる。
【００３５】
なお、これらの加工処理は、それぞれ組み合わせて用いられてもよい。例えばシステム潜像画像データに下線を付するとともに、各潜像画像の現出態様を異ならせるなどとしてもよい。
【００３６】
このように本実施の形態によると、画像処理装置１は、操作部１３を介して一般のユーザから入力されるデータと、一般ユーザからの入力に基づかない、いわば非指定のデータ（システムデータ）とのそれぞれを用いてドキュメントに埋め込むべき、潜像画像データを生成し、これとドキュメントのデータとをプリンタ２に送出して、潜像画像データを含むドキュメントをプリンタ２に生成させる。
【００３７】
この際、画像処理装置１は、一般のユーザが入力するデータについて、その種類（テキスト、画像の別など）や、形成態様（利用する字体など）といった指定に一定の制限をしておき、システムデータについては、当該制限によって一般ユーザが指定できない種類のデータを付加したり、あるいは指定できない態様となるよう、システムデータを加工して潜像画像データを生成する。
【００３８】
また、このように制限しなくとも、例えば一般のユーザが指定したものとは異なる態様のデータとなるよう、システムデータを加工してもよい。
【００３９】
さらに、システムデータのみならず、あるいはシステムデータに代えて、一般ユーザが入力したデータに対して加工を行ってもよい。
【００４０】
画像処理装置１はこうして、少なくとも複写後の現出時に、視覚上互いに異なるものとなるよう、システム潜像画像データとユーザ潜像画像データとを生成しておく。これにより、ユーザが任意に設定できる画像部分と、それ以外の部分との識別を容易にさせることができる。
【図面の簡単な説明】
【図１】本発明の実施の形態に係る画像処理装置とそのプリンタへの接続例を表す構成ブロック図である。
【図２】ユーザの設定を受け入れるインタフェース画面の例を表す説明図である。
【図３】システムデータの種別指定を受け入れるインタフェース画面の例を表す説明図である。
【図４】本発明の実施の形態に係る画像処理装置において実行されるプログラムの一例を表す機能ブロック図である。
【図５】システム潜像画像データに下線を付する例を表す説明図である。
【図６】システム潜像画像データの字体を、ユーザ指定不能な字体とする例を表す説明図である。
【図７】システム潜像画像データに係るテキストの形成態様においてその縦横比を変更した例を表す説明図である。
【図８】識別されるべき各部分に異なるパターンを適用した例を表す説明図である。
【図９】識別されるべき各部分の現出態様を異ならせる例を表す説明図である。
【図１０】付加的情報を利用する例を表す説明図である。
【符号の説明】
１  画像処理装置、２  プリンタ、１１  制御部、１２  記憶部、１３  操作部、１４  表示部、１５  入出力インタフェース、２１  判別部、２２  変換部、２３  領域作成部、２４  パターン生成部、２５  潜像画像データ生成部、２６  加工指示部。
【図１】
2005057352.tif 000003
【図２】
2005057352.tif 000004
【図３】
2005057352.tif 000005
【図４】
2005057352.tif 000006
【図５】
2005057352.tif 000007
【図６】
2005057352.tif 000008
【図７】
2005057352.tif 000009
【図８】
2005057352.tif 000010
【図９】
2005057352.tif 000011
【図１０】
2005057352.tif 000012